(57)【要約】【課題】低濃度のリンを含有する有機性廃水中のリンを高効率に回収する。【解決手段】実施形態のリン含有廃水からのリン回収方法は、リン蓄積菌を担持した担体を分散配置した反応槽を準備するステップと、前記反応槽内にリン含有廃水を導入するステップと、前記反応槽内を嫌気的条件に設定し、前記リン蓄積菌内部に蓄積したポリリン酸を放出させるステップとを具える。また、前記反応槽内を好気的条件に設定し、前記リン蓄積菌によって前記リン含有廃水中のリンを吸収して蓄積するステップと、前記リン蓄積後の前記リン蓄積菌の担体を前記反応槽より取り出し、リン濃縮槽中に移送するステップと、前記リン濃縮槽を嫌気的条件に設定し、前記リン蓄積菌内部に蓄積したリンを放出させるステップと、前記リン濃縮槽中にリンを回収するステップとを具える。【選択図】図１
2014046301.tif 000002
【特許請求の範囲】
【請求項１】
リン蓄積菌を担持した担体を反応槽に分散配置するステップと、
前記反応槽内にリン含有廃水を導入するステップと、
前記反応槽内を嫌気的条件に設定し、前記リン蓄積菌内部に蓄積したポリリン酸を放出させるステップと、
前記反応槽内を好気的条件に設定し、前記リン蓄積菌によって前記リン含有廃水中のリンを吸収して蓄積するステップと、
前記リン蓄積後の前記リン蓄積菌の担体を前記反応槽より取り出し、リン濃縮槽中に移送するステップと、
前記リン濃縮槽を嫌気的条件に設定し、前記リン蓄積菌内部に蓄積したリンを放出させるステップと、
前記リン濃縮槽中のリンを回収するステップと、
を具えることを特徴とする、リン含有廃水からのリン回収方法。
【請求項２】
前記反応槽内を嫌気的条件に設定し、前記リン蓄積菌内部に蓄積したポリリン酸を放出させるステップ及び、
前記反応槽内を好気的条件に設定し、前記リン蓄積菌によって前記リン含有廃水中のリンを吸収して蓄積するステップと、
を複数回繰り返すことを特徴とする、請求項１に記載のリン含有廃水のリン回収方法。
【請求項３】
前記担体は、前記反応槽内で、所定のメッシュ状容器中に、前記リン含有廃水と接触するようにして保持されていることを特徴とする、請求項１に記載のリン含有廃水からのリン回収方法。
【請求項４】
前記反応槽は、第１の反応室及び第２の反応室を含み、前記第１の反応室は嫌気的条件に設定され、前記第２の反応室は好気的条件に設定されており、前記担体は、前記メッシュ状の容器内に保持された状態で昇降させることにより、前記第１の反応室及び前記第２の反応室間を移動することを特徴とする、請求項３に記載のリン含有廃水からのリン回収方法。
【請求項５】
前記リン蓄積菌は脱窒能を有するとともに、前記反応槽は、第１の反応室、第２の反応室及び第３の反応室を含み、前記第１の反応室は嫌気的条件に設定され、前記第２の反応室は無酸素条件に設定され、前記第３の反応室は好気的条件に設定されており、
前記担体を、前記メッシュ状の容器内に保持された状態で昇降させることにより、前記第１の反応室、前記第２の反応室及び前記第３の反応室間を移動させ、前記第３の反応室で生成した前記リン含有廃水中のアンモニア性窒素を、前記第２の反応室内で除去するステップを具えることを特徴とする、請求項３に記載のリン含有廃水からのリン回収方法。
【請求項６】
前記反応槽の前記リン含有廃水の下流側において固液分離槽を配設し、当該固液分離槽において固液分離された汚泥の一部を活性化汚泥として前記反応槽に導入するステップを具えることを特徴とする、請求項１〜５のいずれか１に記載のリン含有廃水からのリン回収方法。
【請求項７】
リン蓄積菌を担持した担体を分散配置し、嫌気的条件形成手段及び好気的条件形成手段を有する反応槽と、
リン蓄積後の前記リン蓄積菌の担体を前記反応槽より取り出し、嫌気的条件下で、前記リン蓄積菌内部に蓄積したリンを放出させ、リン濃縮液を生成し、貯留するためのリン濃縮槽と、
を具えることを特徴とする、リン含有廃水からのリン回収装置。
【請求項８】
前記反応槽内で、前記担体を前記リン含有廃水と接触するようにして保持するためのメッシュ状容器を具えることを特徴とする、請求項７に記載のリン含有廃水からのリン回収装置。
【請求項９】
前記反応槽は、第１の反応室及び第２の反応室を含み、前記第１の反応室は嫌気的条件に設定され、前記第２の反応室は好気的条件に設定されており、前記担体は、前記メッシュ状の容器内に保持された状態で昇降させることにより、前記第１の反応室及び前記第２の反応室間を移動するように構成されたことを特徴とする、請求項８に記載のリン含有廃水からのリン回収装置。
【請求項１０】
前記リン蓄積菌は脱窒能を有するとともに、前記反応槽は、第１の反応室、第２の反応室及び第３の反応室を含み、前記第１の反応室は嫌気的条件に設定され、前記第２の反応室は無酸素条件に設定され、前記第３の反応室は好気的条件に設定されており、
前記担体を、前記メッシュ状の容器内に保持された状態で昇降させることにより、前記第１の反応室、前記第２の反応室及び前記第３の反応室間を移動させ、前記第３の反応室で生成した前記リン含有廃水中のアンモニア性窒素を、前記第２の反応室内で除去するように構成したことを特徴とする、請求項８に記載のリン含有廃水からのリン回収装置。
【請求項１１】
前記反応槽の前記リン含有廃水の下流側において、固液分離された汚泥の一部を活性化汚泥として前記反応槽に導入するために配設された固液分離槽を具えることを特徴とする、請求項７〜１０のいずれか１に記載のリン含有廃水からのリン回収装置。
【発明の詳細な説明】
【技術分野】
【０００１】
本発明の実施形態は、リン含有廃水からのリン回収方法、及びその装置に関する。
【背景技術】
【０００２】
都市下水または有機性廃水にはリンが含まれている場合が多く、このようなリン含有の有機性廃水が東京湾などの内湾、琵琶湖などの湖沼の閉鎖性水域に流れ込むことにより、リンを原因物質とする富栄養化の問題が生じている。一方で、リンは特に農作物の肥料源として重要な資源であるが、我が国はリン鉱石を生産せず、輸入に頼っている状況である。
【０００３】
したがって、上述のようなリン含有廃水中からリンを効率良く回収し、リサイクルすることができれば、上述した富栄養化の問題を解消することができるとともに、リン資源の国内での自活を図ることができる。
【０００４】
廃水中からリンを除去するためには、従来、各種金属塩を用いた凝集沈殿法や晶析脱リン法が用いられていた。しかしながら、凝集沈殿法はＡｌ塩、Ｆｅ塩、Ｃａ塩等の薬剤コストがきわめて高くなり、また生成した沈殿物の処理が大きな問題となっている。また晶析脱リン法はヒドロキシルアパタイトの種晶を用い、リンを効率よくヒドロキシルアパタイトに変換し、これを除去する方法（ＨＡＰ方式）であり、生成沈澱物は少なくなるものの、液中の ＨＣＯ３− イオンが晶析を阻害するため、一度酸性にしてＨＣＯ３− を除去した後、弱アルカリ側にｐＨをもどす必要がある。このため凝集沈殿法と同様に薬剤によるランニングコストが大きくなる。
【０００５】
かかる問題に鑑み、特許文献１では、ポリリン酸蓄積能を有するミクロコッカス様細菌の、好気的条件下でリン含有廃水と接触させることによってリンを吸着し、当該菌を嫌気的条件下におくことにより吸着したリンを放出する性質を利用して、廃水中のリンを回収する試みがなされている。しかしながら、特許文献１に記載の方法では、高効率に廃水中のリンを回収することができないという問題があった。
【０００６】
また、特許文献２には、嫌気工程及び好気工程を経てリンの脱着を行う微生物を用い、リンを含有する汚泥を得た後、この汚泥を濃縮し、濃縮汚泥からリンを放出させて得たリン含有分離水にマグネシウム塩を添加し、リンをリン酸マグネシウムアンモニウム（ＭＡＰ）として析出させ、回収する方法が開示されている。
【０００７】
しかしながら、この方法では、リン回収後の脱離液を水処理プロセスに返送する方式がとられるが、脱離液中に微粒子のＭＡＰが回収しきれずに残存し、その微粒子がプロセスを循環している間に大きくなり、配管の閉塞原因になってしまうという問題がある。また、リン以外の不純物も比較的多量に回収してしまうことから、ＭＡＰの回収割合が相対的に減少し、リンの回収効率が低いという問題がある。さらには、マグネシウム塩が高価であるためにリン回収コストが増大してしまうという問題がある。
【先行技術文献】
【特許文献】
【０００８】
【特許文献１】特開平７−８８４９８号
【特許文献２】特開平９−２６２５９９号
【発明の概要】
【発明が解決しようとする課題】
【０００９】
本発明は低濃度のリンを含有する有機性廃水中のリンを高効率に回収することを目的とする。
【課題を解決するための手段】
【００１０】
実施形態のリン含有廃水からのリン回収方法は、リン蓄積菌を担持した担体を分散配置した反応槽を準備するステップと、前記反応槽内にリン含有廃水を導入するステップと、前記反応槽内を嫌気的条件に設定し、前記リン蓄積菌内部に蓄積したポリリン酸を放出させるステップとを具える。また、前記反応槽内を好気的条件に設定し、前記リン蓄積菌によって前記リン含有廃水中のリンを吸収して蓄積するステップと、前記リン蓄積後の前記リン蓄積菌の担体を前記反応槽より取り出し、リン濃縮槽中に移送するステップと、前記リン濃縮槽を嫌気的条件に設定し、前記リン蓄積菌内部に蓄積したリンを放出させるステップと、前記リン濃縮槽中にリンを回収するステップとを具える。
【図面の簡単な説明】
【００１１】
【図１】第１の実施形態におけるリン含有廃水からのリン回収装置の概略構成図である。
【図２】リン蓄積菌の嫌気的条件及び好気的条件におけるリン酸の蓄積量の概略を示す図である。
【図３】第２の実施形態におけるリン含有廃水からのリン回収装置の反応槽の概略構成図である。
【図４】第３の実施形態におけるリン含有廃水からのリン回収装置の概略構成図である。
【図５】第４の実施形態におけるリン含有廃水からのリン回収装置の概略構成図である。
【発明を実施するための形態】
【００１２】
本発明を実施するための好ましい形態を以下に説明する。
【００１３】
（第１の実施形態）
図１は、本実施形態におけるリン含有廃水からのリン回収装置の概略構成図である。
図１に示すリン含有廃水からのリン回収装置１０は、反応槽１１と、リン濃縮槽１２とを有し、回分式のリン回収装置を構成している。また、反応槽１１内には、リン蓄積菌固定化担体１３が分散配置されている。
【００１４】
なお、リン蓄積菌固定化担体１３の分散配置は、一般には、反応槽１１の下部に配置しておき、以下に説明するように、反応槽１１内にリン含有廃水を導入した際、当該リン含有廃水中に浮遊させることによって行う。
【００１５】
リン蓄積菌固定化担体１３の形状は、主として以下に説明する担体の形状に応じて、球状に限らず角状のものであってもよいし、棒または紐状のものであってもよい。
【００１６】
さらに、反応槽１１には、反応槽１１の外部に配設されたモータ１４１にシャフト１４２を介して反応槽１１内に攪拌翼１４３が配設された攪拌機１４が取り付けられている。また、反応槽１１の下部には散気管１５が配設されており、散気管１５にはブロアー１６が取り付けられ、反応槽１１内に空気（酸素）を供給できるようになっている。
【００１７】
なお、攪拌機１４は、反応槽１１内にリン含有廃水を導入した際に、嫌気的条件下でリン含有廃水を撹拌するものであるので、便宜上嫌気的条件形成手段１４と呼び、散気管１５及びブロアー１６は、反応槽１１内に酸素（Ｏ２）を供給するものであるので、好気的条件形成手段１７を構成する。好気的条件形成手段１７は、反応槽１１内に酸素を供給できればその形態は特に限定されるものではない。
【００１８】
本実施形態において、“嫌気的条件”とは、反応槽１１内に酸素ならびに硝酸、亜硝酸等の結合酸素も存在しない状態を意味し、“好気的条件”とは、反応槽１１内に酸素が溶解し、存在している状態を意味する。
【００１９】
リン蓄積菌固定化担体１３に担持及び固定されているリン蓄積菌は、例えば以下に示すように、嫌気条件下で、必要に応じて有機酸、アミノ酸などの有機物を利用して体内にＰＨＡ（ポリヒドロキシアルカノエート）を合成し、その際に体内に蓄積していたポリリン酸を放出する性質を持ち、好気条件下で、吐き出したリン酸以上のポリリン酸を体内に蓄積することができる菌であれば特に限定されないが、例えばミクロコッカス様 NM-1 株 (FERM P-9971) あるいは NM-2株 (FERP P-10115) 等を挙げることができる。これらの菌は、純粋培養菌体のものを用いることができ、当該菌を含む活性汚泥等も用いることができる。
【００２０】
また、上記リン蓄積菌を担持及び固定するための担体は、当該リン蓄積菌が担持及び固定し易いものであれば特に限定されず、セラミックや金属等でもよい。しかしながら、このようなセラミックや金属等を担体として用いた場合、リン蓄積菌はそれらの表面に付着するため、以下に示すリン回収工程において、担体から離脱してしまって処理過程にある廃水中に混合し、その後処理水に交じって排泄されてしまい、リン蓄積菌の使用効率が低くなってしまう場合がある。
【００２１】
したがって、好ましくは、上記担体としてゲルを用い、上記リン蓄積菌をゲルによって包括固定する。この場合、上述のように、リン蓄積菌の離脱を抑制することができるので、リン蓄積菌の使用効率が増大する。
【００２２】
リン蓄積菌をゲルに包括固定するには、例えば菌体の懸濁液を準備するとともに、アクリルアミドモノマー、メチレンビスアクリルアミド、N,N,N’,N’-テトラメチルエチレンジアミンを含む水溶液を準備し、上記懸濁液と上記水溶液とをｐＨ８程度で混合し、その後、氷点で過硫酸カリウムを重合開始剤として用いて重合を行う。
【００２３】
次に、図１に示す装置を用いたリン含有廃水の処理方法について説明する。
最初に、例えば図示しないバッファタンク内に貯留しているリン含有廃水Ｗ１を、好気的条件形成手段１７としてのブロアー１６の非動作状態、すなわち上述したような嫌気的条件で反応槽１１内に供給する。なお、リン含有廃水中において、リンは一般にリン酸イオン（ＰＯ４３−又はＰ２Ｏ７４−）あるいはリン酸塩の形態で存在する。なお、以下においては、リン酸イオン及びリン酸塩を総称してリン酸と呼ぶことにする。
【００２４】
反応槽１１内にはリン蓄積菌固定化担体１３が分散配置されており、反応槽１１内は嫌気的条件に保持されているので、リン蓄積菌固定化担体１３のリン蓄積菌体内で合成されたＰＨＡ（ポリヒドロキシアルカノエート）を合成し、その際に体内に蓄積していたポリリン酸を放出する。この際、攪拌機１４を動作させて、リン蓄積菌から吐き出されたポリリン酸とリン含有廃液とを混合する。
【００２５】
このとき、酢酸、乳酸などの有機酸類、ペプトン、グルタミン酸-Na などのアミノ酸類等の有機物を反応槽１１内に添加することにより、リン蓄積菌からのポリリン酸の放出速度を向上させることができる。
【００２６】
リン蓄積菌から放出されたポリリン酸は、上記同様に、リン含有廃水Ｗ１中ではリン酸の形態で存在する。
【００２７】
次いで、攪拌機１４を停止した後、好気的条件形成手段１７としてのブロアー１６を動作させ、散気管１５を介して反応槽１１内に空気、すなわち遊離酸素を供給する。すると、反応槽１１内は好気的条件となり、リン蓄積菌固定化担体１３のリン蓄積菌は、図２に示すように、放出したポリリン酸（リン酸）以上のリン酸、すなわちリン含有廃水中のリン酸を吸収して蓄積するようになる。結果として、リン蓄積菌固定化担体１３によってリン含有廃水中のリン酸を吸収及び蓄積することができるようになる。
【００２８】
図２においては、リン酸を5[mg/L]含むリン含有廃水中にリン蓄積菌250[mg/L]を担持させたリン蓄積菌固定化担体１３を用いた場合の、嫌気的条件下でのリン酸の吐き出し量及び好気的条件下でのリン酸の蓄積量を併せて示している。図２から明らかなように、この場合、嫌気的条件下では約３５[ｍｇ/L]のリン酸を放出するものの、好気的条件下では約４０[ｍｇ/L]のリン酸を蓄積することが分かる。したがって、この場合は、リン含有廃水から約５[ｍｇ/L]のリン酸を回収して蓄積できることが分かる。
【００２９】
上述のような嫌気的条件、好気的条件を繰り返し行うことにより、担体内のリン蓄積菌の体内にリンを高濃度に蓄積することが可能となる。概ね、250[mg/L]のリン蓄積菌の体内には、１L担体あたり約50[mg]のリンが蓄積できるため、約10回程度、嫌気的条件-好気的条件を繰り返すことにより、高濃度にリンを菌体内に蓄積することができる。但し、嫌気的条件及び好気的条件を単一で実施しても、リンの蓄積量は若干減少するものの、比較的高濃度のリンを蓄積することができる。
【００３０】
その後、リン蓄積菌固定化担体１３を例えばメッシュ状の容器によって回収し、リン濃縮槽１２中に投入する。リン濃縮槽１２内は嫌気的条件下に保持されている。したがって、リン蓄積菌固定化担体１３のリン蓄積菌が蓄積したリン酸がリン濃縮槽１２内で吐き出され、リン濃縮槽１２内では、リン含有廃水Ｗ１に比較してリン酸濃度の高い処理水Ｗ２が貯留されるようになる。なお、リン濃縮槽１２には、必要に応じて上述した有機酸類あるいはアミノ酸類を添加して、リン蓄積菌からのリン酸の吐き出し速度を向上させることもできる。
【００３１】
リン濃縮槽１２中の処理水Ｗ２には、必要に応じてリン蓄積菌固定化担体１３を除去した後、例えばハイドロタルサイト様物質の吸着剤を添加することにより、当該吸着剤にリン酸を吸着させる。上述のように、処理水Ｗ２中のリン酸濃度はリン含有廃水Ｗ１に比較して高いので、処理水Ｗ２に対して吸着剤を使用してリン酸を吸着し、回収することにより、リン含有廃水Ｗ１、すなわちリンを含有する有機性廃水中のリンを高効率に回収することができる。
【００３２】
なお、処理水Ｗ２に対して、マグネシウム塩を添加してリン酸マグネシウムアンモニウム（ＭＡＰ）として析出させるＭＡＰ方式や、ヒドロキシルアパタイトの種晶を用い、リンを効率よくヒドロキシルアパタイトに変換して除去するＨＡＰ方式を用いることができる。このような方式を用いた場合でも、処理水Ｗ２中には高濃度にリン酸が含まれているので、リン以外の不純物を回収してしまうという問題を回避することができる。また、使用する薬剤の量の低減することができるので、薬剤コストも低減することができる。さらに、これらの方式によるリン酸の回収効率が向上するので、リン酸微粒子による配管閉塞の問題をも回避することができる。
【００３３】
換言すれば、本実施形態の方法を用いることにより、リン含有廃水からのリン酸回収において問題のあった従来のＭＡＰ方式やＨＡＰ方式をも用いることができるので、最終的なリン酸回収の方法が多様化する。すなわち、汎用の方法を用いてリン酸を効率よく回収することができる。
【００３４】
処理水Ｗ２中のリン酸をハイドロタルサイト様物質の吸着剤で吸着した場合、リン酸を吸着した吸着剤はそのまま肥料として用いることができ、リン資源として適用することができる。
【００３５】
なお、リン濃縮槽１２から反応槽１１へのリン蓄積菌固定化担体１３の導入は、１回に限らず複数回行うことができる。この場合、リン濃縮槽１２内のリン酸濃度がより高くなるので、上述した作用効果をより顕著に奏することができる。
【００３６】
また、反応槽１１内でリン含有廃水Ｗ１からリン蓄積菌固定化担体１３によってリン酸が回収された後の処理水Ｗ３は、反応槽１１から外部に放出して、所定の処理に供することもできるし、循環させて反応槽１１内に戻すようにすることもできる。後者の場合、リン含有廃水Ｗ１からのリン酸の回収及び除去をより効果的に行うことができる。
【００３７】
（第２の実施形態）
図３は、本実施形態におけるリン含有廃水からのリン回収装置の反応槽の概略構成を示す図である。なお、図１に示すリン回収装置における構成要素と類似あるいは同一の構成要素については同一の参照数字を用いている。
【００３８】
本実施形態では、反応槽１１内に一対のメッシュ状の容器１３Ａを入れ、これら一対のメッシュ状容器１３Ａ内にリン蓄積菌固定化担体１３を保持するようにしている。なお、メッシュ状容器１３Ａの網目の大きさは、リン蓄積菌固定化担体１３よりも小さくして、この担体１３が外部に放出されないように設定する必要があるとともに、反応槽１１内に導入したリン含有廃液Ｗ１とリン蓄積菌固定化担体１３のリン蓄積菌とが十分に接触できるような大きさとする。
【００３９】
本実施形態によれば、リン含有廃液Ｗ１とリン蓄積菌固定化担体１３との接触を十分に担保した状態で、リン蓄積菌固定化担体１３の回収を容易かつ効率的に行うことができ、リン濃縮槽１２内への投入を簡易に行うことができる。
【００４０】
なお、本実施形態では、メッシュ状容器１３Ａの数を２としたが、この容器の数については特に限定されるものではなく、必要に応じて任意の数とすることができる。
【００４１】
（第３の実施形態）
図４は、本実施形態におけるリン含有廃水からのリン回収装置の概略構成図である。なお、図１に示すリン回収装置における構成要素と類似あるいは同一の構成要素については同一の参照数字を用いている。
【００４２】
図４に示すリン含有廃水からのリン回収装置２０は、反応槽２１と、リン濃縮槽１２とを有し、連続式のリン回収装置を構成している。反応槽２１は、嫌気的条件の第１の反応室２１１及び好気的条件の第２の反応室２１２を有している。第１の反応室２１１及び第２の反応室２１２には、メッシュ状の容器１３Ａ内に保持されたリン蓄積菌固定化担体１３が配置されるようになっている。なお、リン蓄積菌固定化担体１３の形状は、第１の実施形態と同様に、球状に限らず角状のものであってもよいし、棒または紐状のものであってもよい。
【００４３】
第１の反応室２１１には、嫌気的条件形成手段としての水中攪拌機２４が配設され、第２の反応室２１２には、下部には散気管１５が配設されており、散気管１５にはブロアー１６が取り付けられ、反応槽１１内に空気（酸素）を供給できるようになっている。散気管１５及びブロアー１６は、反応槽１１内に遊離酸素、すなわち酸素分子を供給するものであるので、好気的条件形成手段１７を構成する。但し、第１の実施形態と同様に、好気的条件形成手段１７は、反応槽１１内に酸素を供給できればその形態は特に限定されるものではない。
【００４４】
本実施形態において、“嫌気的条件”とは、第１の反応室２１１内に溶解している酸素ならびに硝酸、亜硝酸等の結合酸素も存在しない状態を意味し、“好気的条件”とは、第２の反応室２１２内に溶解している酸素が存在している状態を意味する。
【００４５】
また、本実施形態では、反応槽２１の後方に固液分離槽２３が配設されている。この固液分離槽２３は、以下に説明するようにリン酸回収後の処理水から活性汚泥を分離するためのものである。
【００４６】
なお、リン蓄積菌固定化担体１３及びこれに担持及び固定されているリン蓄積菌は、第１の実施形態と同じであるので説明を省略する。
【００４７】
次に、図４に示す装置を用いたリン含有廃水の処理方法について説明する。
最初に、例えば図示しないバッファタンク内に貯留しているリン含有廃水Ｗ１を、反応槽１１の第１の反応室２１１内に供給する。なお、リン含有廃水中において、リンは一般にリン酸イオン（ＰＯ４３−又はＰ２Ｏ７４−）あるいはリン酸塩の形態で存在する。なお、以下においては、リン酸イオン及びリン酸塩を総称してリン酸と呼ぶことにする。
【００４８】
第１の反応室２１１内にはメッシュ状容器１３Ａ内に保持されるようにしてリン蓄積菌固定化担体１３が分散配置されており、第１の反応室２１１は嫌気的条件に保持されているので、リン蓄積菌固定化担体１３のリン蓄積菌体内で合成されたＰＨＡ（ポリヒドロキシアルカノエート）を合成し、その際に体内に蓄積していたポリリン酸を放出する。この際、水中攪拌機２４を動作させて、リン蓄積菌から吐き出されたポリリン酸とリン含有廃液とを混合する。
【００４９】
なお、第１の実施形態で述べたように、リン蓄積菌固定化担体１３の分散は、一般には、以下に説明するように、反応槽２１内にリン含有廃水を導入した際、当該リン含有廃水中に浮遊させることによって行う。
【００５０】
このとき、酢酸、乳酸などの有機酸類、ペプトン、グルタミン酸-Na などのアミノ酸類等の有機物を第１の反応室２１１内に添加することにより、リン蓄積菌からのポリリン酸の放出速度を向上させることができる。
【００５１】
リン蓄積菌から放出されたポリリン酸は、上記同様に、リン含有廃水Ｗ１中ではリン酸の形態で存在する。
【００５２】
次いで、メッシュ状容器１３Ａを第１の反応室２１１から取り出し、また、第１の反応室２１１に供給されたリン含有廃水Ｗ１を第２の反応室２１２に移送する。第２の反応室２１２内は、ブロアー１６を動作させ、散気管１５を介して空気、すなわち酸素が供給されて好気的条件となっている。したがって、メッシュ状容器１３Ａを第２の反応室２１２内に浸漬することにより、リン蓄積菌固定化担体１３のリン蓄積菌は、図２に示すように、放出したポリリン酸（リン酸）以上のリン酸、すなわちリン含有廃水中のリン酸を吸収して蓄積するようになる。結果として、リン蓄積菌固定化担体１３によってリン含有廃水中のリン酸を吸収及び蓄積することができるようになる。
【００５３】
なお、本実施形態における“メッシュ状容器１３Ａの第１の反応室２１１からの取り出し”及び“メッシュ状容器１３Ａを第２の反応室２１２内に浸漬する”という操作を、本実施形態では“昇降”と呼ぶ。
【００５４】
また、本実施形態では、上述のように、嫌気的条件の第１の反応室２１１と好気的条件の第２の反応室２１２とが別途に設けられているので、リン蓄積菌固定化担体１３の嫌気的条件下に配置しておく時間及び好気的条件下に配置しておく時間を適宜制御することができる。さらに、水中攪拌機２４の回転速度や散気管１５を通じた遊離酸素の供給量等を調整して、嫌気的条件及び好気的条件の制御を行うことができる。この結果、リン蓄積菌固定化担体１３のリン蓄積菌に適した嫌気的条件及び好気的条件を調節することができ、リン蓄積菌のリン酸蓄積能を十分に向上させることができる。
【００５５】
その後、リン蓄積菌固定化担体１３をメッシュ状容器１３Ａごと第２の反応室２１２から引き上げ、リン濃縮槽１２中に投入する。リン濃縮槽１２内は嫌気的条件下に保持されている。したがって、リン蓄積菌固定化担体１３のリン蓄積菌が蓄積したリン酸がリン濃縮槽１２内で吐き出され、リン濃縮槽１２内では、リン含有廃水Ｗ１に比較してリン酸濃度の高い処理水Ｗ２が貯留されるようになる。なお、リン濃縮槽１２には、必要に応じて上述した有機酸類あるいはアミノ酸類を添加して、リン蓄積菌からのリン酸の吐き出し速度を向上させることもできる。
【００５６】
リン濃縮槽１２中の処理水Ｗ２には、必要に応じてリン蓄積菌固定化担体１３を除去した後、第１の実施形態と同様に、例えばハイドロタルサイト様物質の吸着剤を添加することにより、当該吸着剤にリン酸を吸着させる。上述のように、処理水Ｗ２中のリン酸濃度はリン含有廃水Ｗ１に比較して高いので、処理水Ｗ２に対して吸着剤を使用してリン酸を吸着し、回収することにより、リン含有廃水Ｗ１、すなわちリンを含有する有機性廃水中のリンを高効率に回収することができる。リン酸を吸着した吸着剤はそのまま肥料として用いることができ、リン資源として適用することができる。
【００５７】
なお、処理水Ｗ２に対して、マグネシウム塩を添加してリン酸マグネシウムアンモニウム（ＭＡＰ）として析出させるＭＡＰ方式や、ヒドロキシルアパタイトの種晶を用い、リンを効率よくヒドロキシルアパタイトに変換して除去するＨＡＰ方式を用いることができる。このような方式を用いた場合でも、処理水Ｗ２中には高濃度にリン酸が含まれているので、リン以外の不純物を回収してしまうという問題を回避することができる。また、使用する薬剤の量の低減することができるので、薬剤コストも低減することができる。さらに、これらの方式によるリン酸の回収効率が向上するので、リン酸微粒子による配管閉塞の問題をも回避することができる。
【００５８】
換言すれば、本実施形態の方法を用いることにより、リン含有廃水からのリン酸回収において問題のあった従来のＭＡＰ方式やＨＡＰ方式をも用いることができるので、最終的なリン酸回収の方法が多様化する。すなわち、汎用の方法を用いてリン酸を効率よく回収することができる。
【００５９】
なお、本実施形態では、上述のようにして、メッシュ状容器１３Ａ内に保持されたリン蓄積菌固定化担体１３を再度第１の反応室２１１内に導入し、その後再び第２の反応室２１２内に導入するようにしてもよいし、このような操作を複数回行ってもよい。この場合、リン蓄積菌固定化担体１３の嫌気的条件下に配置しておく時間及び好気的条件下に配置しておく時間を十分に制御することができるとともに、水中攪拌機２４の回転速度や散気管１５を通じた遊離酸素の供給量等を調整して、嫌気的条件及び好気的条件の制御を十分に行うことができる。この結果、リン蓄積菌固定化担体１３のリン蓄積菌に適した嫌気的条件及び好気的条件を調節することができ、リン蓄積菌のリン酸蓄積能を十分に向上させることができる。
【００６０】
一方、第２の反応室２１２からの処理水Ｗ３は固液分離槽２３に導入されて固液分離され、下方に堆積した汚泥の一部Ｓ１を活性汚泥として反応槽１１の第１の反応室２１１に供給し、リン含有廃水Ｗ１の供給流れに応じて第２の反応室２１２及び固液分離槽２３間を循環するようにしている。これによって、リン含有廃水Ｗ１中の有機物や重金属類を活性汚泥によって除去することができる。
【００６１】
したがって、例えば、リン濃縮槽１２中の処理水Ｗ２における有機物等の不純物が減少しているので、ＭＡＰ方式やＨＡＰ方式で処理水Ｗ２からリン酸を回収する場合においても、リン以外の不純物を回収してしまうという問題をより効果的に回避することができる。
【００６２】
なお、固液分離槽２３の下部に堆積した汚泥の残部、あるいは第１の反応室２１１、第２の反応室２１２及び固液分離槽２３間を循環し、有機物を資化することによって増えた活性汚泥の一部は、余剰汚泥Ｓ２として外部に排出される。
【００６３】
また、本実施形態においても、上述のような嫌気的条件、好気的条件を繰り返し行ってもよいし、それぞれ単一で行ってもよい。但し、前者の場合において、蓄積できるリンの量を増大させることができる。
【００６４】
（第４の実施形態）
図５は、本実施形態におけるリン含有廃水からのリン回収装置の概略構成図である。なお、図１及び図４に示すリン回収装置における構成要素と類似あるいは同一の構成要素に  ついては同一の参照数字を用いている。
【００６５】
図５に示すリン含有廃水からのリン回収装置３０は、反応槽３１と、リン濃縮槽１２とを有し、連続式のリン回収装置を構成している。反応槽３１は、嫌気的条件の第１の反応室３１１、無酸素状態の第２の反応室３１２及び好気的条件の第３の反応室３１３を有している。第１の反応室３１１、第２の反応室３１２及び第３の反応室３１３には、メッシュ状の容器３３Ａ内に保持された脱窒型リン蓄積菌固定化担体３３が配置されるようになっている。脱窒型リン蓄積菌固定化担体３３の形状は、第１の実施形態と同様に、球状に限らず角状のものであってもよいし、棒または紐状のものであってもよい。
【００６６】
また、脱窒型リン蓄積菌は、上述のようなリン酸の蓄積に加えて硝酸性窒素や亜硝酸性窒素等を窒素ガスに還元する性能を有する菌であり、未だその詳細は明確にされてはいないが、例えば” 脱窒型リン蓄積細菌を利用した下水処理技術及びリン資源回収の可能性”、環境バイオテクノロジー学会誌、Vol. 4, No. 2, 95-99, 2005に掲載されているものを用いることができる。したがって、上記脱窒型リン蓄積菌は、現在では、このような研究機関から入手可能である。
【００６７】
担体は、第１の実施形態と同様に、セラミックや金属等でもよいが、好ましくはゲルを用い、上記脱窒型リン蓄積菌を包括固定する。
【００６８】
なお、ここでいう“無酸素状態”とは、酸素（Ｏ２）が存在しない状態を意味し、以下で説明するような硝酸イオン、亜硝酸イオン等に含まれる結合酸素等が存在する状態を意味する。
【００６９】
第１の反応室３１１及び第２の反応室３１２には、嫌気的条件形成手段としての水中攪拌機２４が配設され、第３の反応室３１３には、下部には散気管１５が配設されており、散気管１５にはブロアー１６が取り付けられ、第３の反応室３１３内に空気（酸素）を供給できるようになっている。散気管１５及びブロアー１６は、第３の反応室３１３内に遊離酸素、すなわち酸素分子を供給するものであるので、好気的条件形成手段１７を構成する。但し、第１の実施形態と同様に、好気的条件形成手段１７は、第３の反応室３１３内に酸素を供給できればその形態は特に限定されるものではない。
【００７０】
本実施形態において、“嫌気的条件”とは、第１の反応室３１１内に酸素ならびに結合酸素の存在しない状態を意味し、“好気的条件”とは、第３の反応室３１３内に酸素が溶解し、存在している状態を意味する。また、第２の反応室３１２内には、嫌気的条件形成手段としての水中攪拌機２４が配設されているが、上述のように、硝酸イオン、亜硝酸イオン等に含まれる結合酸素等が存在しているので、“無酸素状態”として定義している。
【００７１】
また、本実施形態では、反応槽３１の後方に固液分離槽２３が配設されている。この固液分離槽２３は、以下に説明するようにリン酸回収後の処理水から活性汚泥を抽出するためのものである。
【００７２】
次に、図５に示す装置を用いたリン含有廃水の処理方法について説明する。
最初に、例えば図示しないバッファタンク内に貯留しているリン含有廃水Ｗ１を、反応槽１１の第１の反応室３１１内に供給する。なお、リン含有廃水中において、リンは一般にリン酸イオン（ＰＯ４３−又はＰ２Ｏ７４−）あるいはリン酸塩の形態で存在する。なお、以下においては、リン酸イオン及びリン酸塩を総称してリン酸と呼ぶことにする。
【００７３】
第１の反応室３１１内にはメッシュ状容器３３Ａ内に保持されるようにして脱窒型リン蓄積菌固定化担体３３が分散配置されており、第１の反応室３１１は嫌気的条件に保持されているので、脱窒型リン蓄積菌固定化担体３３の脱窒型リン蓄積菌体内で合成されたＰＨＡ（ポリヒドロキシアルカノエート）を合成し、その際に体内に蓄積していたポリリン酸を放出する。この際、水中攪拌機２４を動作させて、脱窒型リン蓄積菌から吐き出されたポリリン酸とリン含有廃液とを混合する。
【００７４】
脱窒型リン蓄積菌固定化担体３３の分散は、一般には、以下に説明するように、反応槽３１内にリン含有廃水を導入した際、当該リン含有廃水中に浮遊させることによって行う。
【００７５】
このとき、酢酸、乳酸などの有機酸類、ペプトン、グルタミン酸-Na などのアミノ酸類等の有機物を第１の反応室２１１内に添加することにより、脱窒型リン蓄積菌からのポリリン酸の放出速度を向上させることができる。
【００７６】
脱窒型リン蓄積菌から放出されたポリリン酸は、上記同様に、リン含有廃水Ｗ１中ではリン酸の形態で存在する。
【００７７】
次いで、メッシュ状容器３３Ａを第１の反応室３１１から取り出し、また、第１の反応室３１１に供給されたリン含有廃水Ｗ１を第２の反応室３１２に移送する。第２の反応室３１２内は、硝酸イオン、亜硝酸イオン等に含まれる結合酸素等が存在する無酸素状態であって嫌気的条件ではないので、第２の反応室３１２においては脱窒型リン蓄積菌がリン含有廃水中のリン酸をある程度吸収して蓄積する。
【００７８】
次いで、メッシュ状容器３３Ａを第２の反応室３１２から取り出し、また、第２の反応室３１２に供給されたリン含有廃水Ｗ１を第３の反応室３１３に移送する。第３の反応室３１３内は、ブロアー１６を動作させ、散気管１５を介して空気、すなわち遊離酸素が供給されて好気的条件となっている。したがって、メッシュ状容器３３Ａを第３の反応室３１３内に浸漬することにより、脱窒型リン蓄積菌固定化担体３３の脱窒型リン蓄積菌は、図２に示すように、放出したポリリン酸（リン酸）以上のリン酸、すなわちリン含有廃水中のリン酸を吸収して蓄積するようになる。結果として、脱窒型リン蓄積菌固定化担体３３によってリン含有廃水中のリン酸を吸収及び蓄積することができるようになる。
【００７９】
なお、本実施形態における“メッシュ状容器３３Ａの第１の反応室３１１からの取り出し”及び“メッシュ状容器３３Ａを第２の反応室３１２内に浸漬する”という操作、並びに“メッシュ状容器３３Ａの第２の反応室３１２からの取り出し”及び“メッシュ状容器３３Ａを第３の反応室３１３内に浸漬する”という操作を、本実施形態では“昇降”と呼ぶ。
【００８０】
また、本実施形態では、上述のように、嫌気的条件の第１の反応室３１１と好気的条件の第３の反応室３１３とが別途に設けられているので、脱窒型リン蓄積菌固定化担体３３の嫌気的条件下に配置しておく時間及び好気的条件下に配置しておく時間を適宜制御することができる。さらに、水中攪拌機２４の回転速度や散気管１５を通じた遊離酸素の供給量等を調整して、嫌気的条件及び好気的条件の制御を行うことができる。この結果、脱窒型リン蓄積菌固定化担体３３の脱窒型リン蓄積菌に適した嫌気的条件及び好気的条件を調節することができ、脱窒型リン蓄積菌のリン酸蓄積能を十分に向上させることができる。
【００８１】
その後、脱窒型リン蓄積菌固定化担体３３をメッシュ状容器３３Ａごと第３の反応室３１３から引き上げ、リン濃縮槽１２中に投入する。リン濃縮槽１２内は嫌気的条件下に保持されている。したがって、脱窒型リン蓄積菌固定化担体３３の脱窒型リン蓄積菌が蓄積したリン酸がリン濃縮槽１２内で吐き出され、リン濃縮槽１２内では、リン含有廃水Ｗ１に比較してリン酸濃度の高い処理水Ｗ２が貯留されるようになる。なお、リン濃縮槽１２には、必要に応じて上述した有機酸類あるいはアミノ酸類を添加して、脱窒型リン蓄積菌からのリン酸の吐き出し速度を向上させることもできる。
【００８２】
リン濃縮槽１２中の処理水Ｗ２には、必要に応じて脱窒型リン蓄積菌固定化担体３３を除去した後、第１の実施形態と同様に、例えばハイドロタルサイト様物質の吸着剤を添加することにより、当該吸着剤にリン酸を吸着させる。上述のように、処理水Ｗ２中のリン酸濃度はリン含有廃水Ｗ１に比較して高いので、処理水Ｗ２に対して吸着剤を使用してリン酸を吸着し、回収することにより、リン含有廃水Ｗ１、すなわちリンを含有する有機性廃水中のリンを高効率に回収することができる。リン酸を吸着した吸着剤はそのまま肥料として用いることができ、リン資源として適用することができる。
【００８３】
なお、処理水Ｗ２に対して、マグネシウム塩を添加してリン酸マグネシウムアンモニウム（ＭＡＰ）として析出させるＭＡＰ方式や、ヒドロキシルアパタイトの種晶を用い、リンを効率よくヒドロキシルアパタイトに変換して除去するＨＡＰ方式を用いることができる。このような方式を用いた場合でも、処理水Ｗ２中には高濃度にリン酸が含まれているので、リン以外の不純物を回収してしまうという問題を回避することができる。また、使用する薬剤の量の低減することができるので、薬剤コストも低減することができる。さらに、これらの方式によるリン酸の回収効率が向上するので、リン酸微粒子による配管閉塞の問題をも回避することができる。
【００８４】
換言すれば、本実施形態の方法を用いることにより、リン含有廃水からのリン酸回収において問題のあった従来のＭＡＰ方式やＨＡＰ方式をも用いることができるので、最終的なリン酸回収の方法が多様化する。すなわち、汎用の方法を用いてリン酸を効率よく回収することができる。
【００８５】
なお、本実施形態では、上述のようにして、メッシュ状容器３３Ａ内に保持された脱窒型リン蓄積菌固定化担体３３を再度第１の反応室３１１内に導入し、その後再び第３の反応室３１３内に導入するようにしてもよいし、このような操作を複数回行ってもよい。この場合、脱窒型リン蓄積菌固定化担体３３の嫌気的条件下に配置しておく時間及び好気的条件下に配置しておく時間を十分に制御することができるとともに、水中攪拌機２４の回転速度や散気管１５を通じた遊離酸素の供給量等を調整して、嫌気的条件及び好気的条件の制御を十分に行うことができる。この結果、脱窒型リン蓄積菌固定化担体３３の脱窒型リン蓄積菌に適した嫌気的条件及び好気的条件を調節することができ、脱窒型リン蓄積菌のリン酸蓄積能を十分に向上させることができる。
【００８６】
一方、第３の反応室３１３からの処理水Ｗ３は固液分離槽２３に導入されて固液分離され、下方に堆積した汚泥の一部Ｓ１を活性汚泥として反応槽１１の第１の反応室３１１に供給し、リン含有廃水Ｗ１の供給流れに応じて第２の反応室３１２、第３の反応室３１３及び固液分離槽２３間を循環するようにしている。これによって、リン含有廃水Ｗ１中のリン酸以外の有機物を活性汚泥によって蓄積することができ、リン含有廃水Ｗ１から除去することができる。
【００８７】
したがって、例えば、リン濃縮槽１２中の処理水Ｗ２における有機物量が減少しているので、ＭＡＰ方式やＨＡＰ方式で処理水Ｗ２からリン酸を回収する場合においても、リン以外の不純物を回収してしまうという問題をより効果的に回避することができる。
【００８８】
なお、固液分離槽２３の下部に堆積した汚泥の残部、あるいは第１の反応室３１１、第２の反応室３１２、第３の反応室３１３及び固液分離槽２３間を循環し、有機物を資化することによって増えた活性汚泥の一部は、余剰汚泥Ｓ２として外部に排出される。
【００８９】
また、本実施形態では、脱窒型リン蓄積菌を用いているため、好気的条件下の第３の反応室３１３では、以下の反応式に基づいて、リン含有廃水Ｗ１中のアンモニアイオンが硝酸イオンとなり、
ＮＨ４＋＋２Ｏ２→ＮＯ３−＋Ｈ２Ｏ＋２Ｈ＋
【００９０】
無酸素状態の第２の反応室３１２内に脱窒型リン蓄積菌固定化担体３３が配置されている状態で硝酸性窒素（硝酸イオン）Ｔが供給されると、当該脱窒型リン蓄積菌によって硝酸性窒素（硝酸イオン）Ｔは以下のように還元され、窒素が生成される。
２ＮＯ３−＋５Ｈ２→Ｎ２＋２ＯＨ−＋４Ｈ２Ｏ
【００９１】
すなわち、脱窒型リン蓄積菌を用いることにより、好気的条件下の第３の反応室３１３内でリン含有廃液Ｗ１中のアンモニア性窒素が硝酸性窒素に酸化され、無酸素状態の第２の反応室３１２内で硝酸性窒素が窒素に還元される。結果として、リン含有廃液Ｗ１から、リン酸に加えてアンモニア性窒素をも除去することが可能となる。
【００９２】
また、本実施形態においても、上述のような嫌気的条件、好気的条件を繰り返し行ってもよいし、それぞれ単一で行ってもよい。但し、前者の場合において、蓄積できるリンの量を増大させることができる。
【００９３】
以上、本発明のいくつかの実施形態を説明したが、これらの実施形態は例として掲示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９４】
１０，２０，３０  リン含有廃水からのリン回収装置
１１  反応槽
１２  リン濃縮槽
１３  リン蓄積菌固定化担体
１３Ａ  メッシュ状容器
１４  攪拌機（嫌気的条件形成手段）
１５  散気管
１６  ブロアー
１７  好気的条件形成手段
Ｗ１  リン含有廃水
Ｗ２，Ｗ３  処理水
２１  反応槽
２１１  第１の反応室
２１２  第２の反応室
２３  固液分離槽
２４  水中攪拌機
Ｓ１  活性汚泥
Ｓ２  余剰汚泥
３１  反応槽
３１１  第１の反応室
３１２  第２の反応室
３１３  第３の反応室
３３  脱窒型リン蓄積菌固定化担体
３３Ａ  メッシュ状容器
【図１】
2014046301.tif 000003
【図２】
2014046301.tif 000004
【図３】
2014046301.tif 000005
【図４】
2014046301.tif 000006
【図５】
2014046301.tif 000007